(57)【要約】【課題】  従来の、軽量な油はねガード用具では簡単に転倒したりずれ動く事があった。また、調理器具が接触した時には傷が付いたり変形した。油はねガード用具のため台所備品に手が届き難く、こんろによってはガスホース挿通用切欠部の必要もあった。本発明は上記の課題を解決する吊る油はねガードを提供する。【解決手段】油はねガード用具を油はねガード用具設置場所の上方にある設備、例えばレンジフードやレンジフード周りの吊り下げ対象部材から吊る事で目的を達することを特徴とするものである。【選択図】図１
2008253699.tif 000002
【特許請求の範囲】
【請求項１】
油はねガード用具を吊り下げ対象部材から難燃性ワイヤで吊ることを特徴とする吊る油はねガード。
【請求項２】
吊り下げ対象部材に吊り下げする為の吊り下げ手段が設けられていることを特徴とする請求項１記載の吊る油はねガード。
【請求項３】
吊り具に磁石を使用した吊り具を用いることを特徴とする請求項１記載の吊る油はねガード。
【請求項４】
油はねガード用具の上部に保持部を持つことを特徴とする請求項１記載の吊る油はねガード。
【請求項５】
油はねガード用具の下部に磁石を持つことを特徴とする請求項１記載の吊る油はねガード。
【請求項６】
難燃性ワイヤの長さを調節するための長さ調節具を持つことを特徴とする請求項１記載の吊る油はねガード。
【発明の詳細な説明】
【技術分野】
【０００１】  本発明は、調理時に油はねをガードする為に用いるレンジパネルや天ぷらガード等の軽量な油はねガード用具（以後、単に油はねガード用具という。）の転倒防止、油はねガード用具に調理器具が接触する時に生じる傷や変形の減少、油はねガード用具のガスホース挿通、油はねガード用具の奥にある台所備品等に手が届き易くするための吊る油はねガードに関する。
【背景技術】
【０００２】  従来の油はねガード用具には固定用磁石を施したものがあり（例えば、実用新案文献１、２、４、５、６参照。）、ガスこんろ用にはガスホース挿通用切欠部を設けているものがある（例えば、実用新案文献３参照。）。また、金属箔パネルに磁石を取り付けるための取付具がある（例えば、実用新案文献７、８、９、特許文献１、２、３、４、５参照。）。
【実用新案文献１】
実開昭５０−０１０５６８号公報
【実用新案文献２】
実開昭５３−０９４２８０号公報
【実用新案文献３】
実開昭５５−０９４６０４号公報
【実用新案文献４】
実開昭５８−１５３９１７号公報
【実用新案文献５】
実開昭５９−１０８１０６号公報
【実用新案文献６】
実開昭６２−００６６０７号公報
【実用新案文献７】
実開平０２−１４０２１２号公報
【実用新案文献８】
実開平０４−１３６３０５号公報
【実用新案文献９】
実開平０５−０２１４０３号公報
【特許文献１】特開２００１−１１８７２０号公報
【特許文献２】特開２００２−０３９５４５号公報
【特許文献３】特開２００２−２５７３５７号公報
【特許文献４】特開２００３−０１７３１３号公報
【特許文献５】特開２００３−０２８４３９号公報
【０００３】  以下、従来の油はねガード用具について説明する。従来は油はねガード用具をこんろやガス台等の油はねガード用具設置場所に、単に立設したり、固定用磁石を施して設置していた。また、こんろの奥にはコンセント、調理用品、調味料等、さらにガスこんろではガス元栓、ガスホース等の台所備品が置かれる事が多く、油はねガード用具はこんろまたはこんろに近接した奥に設置されていた。
【発明の開示】
【発明が解決しようとする課題】
【０００４】  従来の、油はねガード用具を油はねガード用具設置場所に単に立設したり、固定用磁石を施して設置したものは簡単に転倒したりずれ動く事があった。また、油はねガード用具はこんろまたはこんろに近接して設置されるので調理器具が接触し易く、接触した時には傷が付いたり変形した。特に、油はねガード用具がアルミニウムの薄板製の時は傷や変形が多かった。【０００５】  油はねガード用具の設置場所がこんろから台所備品の間であるので、台所備品が油はねガード用具で隠れる時には台所備品に手が届き難く、さらに、油はねガード用具の下部にガスホースがくるタイプのこんろではガスホース挿通用切欠部のある油はねガード用具を用いないと、油はねガード用具の設置が不安定で台所作業の妨げになっていた。【０００６】  本発明は、上記のような問題点を解決することを課題とするものであって、その目的は即ち、油はねガード用具の転倒やずれ動きを防ぎ、油はねガード用具に調理器具が接触しても傷や変形が少なく、油はねガード用具が台所備品を隠したり、ガスホースの上に来ても台所作業の妨げにならない吊る油はねガードを提供することにある。
【課題を解決するための手段】
【０００７】  上記目的を達成するために、本発明に係る吊る油はねガードは油はねガード用具を油はねガード用具設置場所の上方にある設備、例えばレンジフードやレンジフード周りの吊り下げ対象部材から吊る事で目的を達する。【０００８】  一実施例としてレンジフードから吊る例で説明すれば、レンジフードにある吊り具と油はねガード用具の上部を、例えばアルミニウムやステンレス製の難燃性ワイヤ（以後、単にワイヤという。）で結んで油はねガード用具を吊り下げる。油はねガード用具を吊る事で転倒は無くなり、ずれ動いても復元する。【０００９】  吊り具としてはレンジフードを加工して吊り金具部、フック部を設けて吊り具としても良いし、レンジフードに磁石、吊り金具、フック等を取り付けて吊り具としても良い。磁石を用いるときは少なくとも吊り具の取り付け部分を磁性体としておく。磁石を用いる吊り具は磁石をヨークに収めヨークに直接、またはヨークに接続した部材に穴を設けてワイヤを通したり、フック部分を設けて引っ掛けたり、ワイヤを接着したりする。また、磁石に通孔を設けてワイヤを通す事も考えられる。【００１０】  油はねガード用具の上部には保持部として通孔を設けるか、通孔やフックを設けた挟持体を取り付けてワイヤを通し油はねガード用具を保持する。縁巻を持つ油はねガード用具であれば縁巻を挟む挟持体も考えられる。挟持体はクリップのように自由に取り付け位置を変更出来る着脱自在とする事が好ましい。保持部は油はねガード用具を吊り下げる時のバランスを取る為にも複数設ける事が好ましい。【００１１】  ワイヤに長さ調整具を取り付けると油はねガード用具の位置決めが楽である。吊り具や挟持体の一部を長さ調整具とする事もよい。【００１２】  油はねガード用具の設置方法をいくつか紹介すると、まずこんろの後端近くにこんろから少し離す形で油はねガード用具を吊る。この方法では油はねガード用具がこんろから浮いているので、こんろの掃除もし易く、調理中に調理器具が油はねガード用具に接触しても油はねガード用具が逃げるので傷が付き難く、変形し難くい。油はねガード用具を軽く持ち上げれば台所備品にも簡単に手が届く。下部にあるガスホースの挿通にも支障ない。この方法で油はねガード用具のふらつきが気になる時は、こんろ上部が磁性体であるか、磁性体が取り付けてあれば、油はねガード用具の下部に磁石を取り付け、油はねガード用具の下部とこんろ上部を磁力で曳き合わせふらつきを防止する。【００１３】  次の油はねガード用具の設置方法はこんろの天面に油はねガード用具の下端が軽く接触する状態に吊る。油はねガード用具がこんろに接触しているので、前記方法に比べて油はねガード用具とこんろの隙間がほとんど無いので油はねが油はねガード用具とこんろの隙間から外に出る事がほとんど無い。油はねガード用具がこんろに軽く接触しているだけなので、油はねガード用具を簡単に移動でき、こんろの掃除もし易く、調理中に調理器具が油はねガード用具に接触しても、油はねガード用具が逃げるので傷が付き難く変形し難くい。油はねガード用具を軽く持ち上げれば台所備品にも簡単に手が届く。下部にあるガスホースの挿通にも支障ない。この方法で油はねガード用具のふらつきが気に���る時は、こんろが磁性体であるか、こんろに磁性体が取り付けてあれば、油はねガード用具の下部に磁石を取り付け、こんろと油はねガード用具を吸い付かせふらつきを防止する。この時用いる磁石は単にふらつき防止用であるから転倒防止に用いるほどの磁力は必要ない。磁力が弱い磁石を用いるので油はねガード用具は簡単に移動できる。【００１４】  次の油はねガード用具の設置方法はこんろの形式にもよるが、油はねガード用具の下端がこんろの天面後端より少し下がった位置に来るように吊る。油はねガード用具がこんろに近接しているので、油はねガード用具とこんろの隙間がほとんど無いので油はねが油はねガード用具とこんろの隙間から外に出る事がほとんど無い。油はねガード用具は固定されていないので簡単に移動でき、こんろの掃除もし易く、調理中に調理器具が油はねガード用具に接触しても、油はねガード用具が逃げるので傷が付き難く変形し難くい。油はねガード用具を軽く持ち上げれば台所備品にも簡単に手が届く。下部にあるガスホースの挿通にも支障ない。この方法で油はねガード用具のふらつきが気になる時は、こんろが磁性体であるか、こんろに磁性体が取り付けてあれば、油はねガード用具の下部に磁石を取り付け、こんろと油はねガード用具を吸い付かせふらつきを防止する。この時用いる磁石は単にふらつき防止用であるから転倒防止に用いるほどの磁力は必要ない。磁力が弱い磁石を用いるので油はねガード用具は簡単に移動できる。
【発明の効果】
【００１５】  以上説明したように、本発明に係る吊る油はねガードは油はねガード用具の転倒やずれ動きを防ぎ、油はねガード用具に調理器具が接触しても傷が付き難く、変形し難く、油はねガード用具の奥にある台所備品に手が届き易くする事が出来る。下部にあるガスホースの挿通にも支障ない。
【発明を実施するための最良の形態】
【００１６】  以下に本発明の実施形態を、図面を参照しながら具体的に説明するがこの実施形態に限定されるものではない。図１は本発明に係る吊る油はねガードで油はねガード用具１を上から見てコの字状にした実施例の斜視図である。この例は油はねガード用具１の設置場所上方にある設備の内のレンジフード２から吊る例である。レンジフード２にある吊り具３と油はねガード用具１の上部にある保持部を例えばアルミニウムやステンレス製の難燃性ワイヤ４で結んで油はねガード用具１を吊り下げる。油はねガード用具１を吊る事で転倒は無くなり、ずれ動いても復元する。【００１７】  油はねガード用具１の形状は吊り下げる事が出来て台所作業に支障がなければ、コの字状に限定されない。図２〜図４のようなＩの字状の他、Ｌの字状、Ｕの字状、Ｏの字状でもよく、油はねガード用具１を部分的に図５のように下部にフラップ１１を設けたたり、図６のように左右の調理台が邪魔になるときは、こんろ６の後ろにかかる部分だけ下に伸ばしたものを使用する等台所事情に合わせる。【００１８】  図２は油はねガード用具１の設置方法の他の例で、こんろ６の後端近くにこんろ６から少し離す形で油はねガード用具１を吊る。この方法では油はねガード用具１がこんろ６から浮いているので、こんろ６の掃除もし易く、調理中に調理器具が油はねガード用具１に接触しても油はねガード用具１が逃げるので傷が付き難く、変形し難くい。油はねガード用具１を軽く持ち上げれば台所備品にも簡単に手が届く。下部にあるガスホースの挿通にも支障ない。磁石１４は油はねガード用具１のふらつきが気になる時に、こんろ６上部が磁性体であるか、磁性体が取り付けてあれば、油はねガード用具１の下部に取り付けて油はねガード用具１の下部とこんろ６の上部を磁力で曳き合わせふらつきを防止する。図２〜図４の磁石１４は不要であれば取り付ける必要は無い。【００１９】  図３は油はねガード用具１の下端がこんろ６の天面に軽く接触する状態に吊る方法であり、図４は油はねガード用具１の下端がこんろ６の天面の後端より少し下がった位置に来るように吊る方法である。油はねガード用具１がこんろに近接しているので、油はねガード用具１とこんろ６の隙間がほとんど無いので、油はねが油はねガード用具１とこんろ６の隙間から外に出る事がほとんど無い。油はねガード用具１は固定されていないので簡単に移動でき、こんろ６の掃除もし易く、調理中に調理器具が油はねガード用具１に接触しても、油はねガード用具１が逃げるので傷が付き難く変形し難くい。台所備品にも油はねガード用具１を軽く持ち上げれば簡単に手が届く。下部にあるガスホースの挿通にも支障ない。この方法で油はねガード用具１のふらつきが気になる時は、こんろ６が磁性体であるか、こんろ６に磁性体が取り付けてあれば、油はねガード用具１の下部に磁石１４を取り付け、こんろ６と油はねガード用具１を吸い付かせふらつきを防止する。この時用いる磁石１４は単にふらつき防止用であるから転倒防止に用いるほどの磁力は必要ない。磁力が弱い磁石１４を用いるので油はねガード用具１は簡単に移動できる。【００２０】  図７は保持部として片側に複数の挟持体５を配置した油はねガード用具１の設置例であ��、油はねガード用具１の吊り下げが安定する。【００２１】    図８は一本の難燃性ワイヤ４を下開きコ状に張り、左右の挟持体５を吊る事とした油はねガード用具１設置例であり、使用する難燃性ワイヤ４は一本で済む。【００２２】  図９は一本の難燃性ワイヤ４を上開きコ状に張り、左右の挟持体５を吊る事とした油はねガード用具１設置例であり、使用する難燃性ワイヤ４は一本で済む。設置場所に応じて図８例と図９例を使い分けると良い。【００２３】  図１０は磁石３４をヨーク３１に収めた吊り具３で、ヨーク３１の一部を切り開いてヨーク片３２とし、ヨーク片３２にヨーク通孔３３を設けて難燃性ワイヤ４を通して油はねガード用具１を吊る。ヨーク通孔３３の代わりに、ヨーク片３２をフック状に曲げて難燃性ワイヤ４を通してもよい。【００２４】  図１１は縁巻１３を持つ油はねガード用具１に使用できるＣ型断面の挟持体５であり、挟持体５の一部を切り開いて挟持体片５１とし、挟持体片５１に挟持体通孔５２が設けてある。この挟持体５を縁巻１３に摺動自在でやや固めに装着し挟持体通孔５２に難燃性ワイヤ４を通して油はねガード用具１を吊る。挟持体通孔５２の代わりに、挟持体片５１をフック状に曲げて難燃性ワイヤ４を通してもよい。挟持体５を縁巻１３に摺動自在に装着できるので油はねガード用具１をバランスよく吊ることが出来る。【００２５】  油はねガード用具１を吊ることが出来れば、挟持体５の断面はＣ型に限るものではないし、縁巻以外を挟むものでも良い。また、保持部としては挟持体５を用いずに油はねガード用具１の上部に通孔を設けて難燃性ワイヤ４を通してもよい。【００２６】  図１２は長さ調節具９の一端であり、図１３は長さ調節具に難燃性ワイヤ４を通したところである。ヨーク片３２や挟持体片５１を長さ調節具９とすることで難燃性ワイヤ４の長さが簡単に調節出来る。ワイヤの途中に長さ調節具を取り付けても良い。ワイヤの長さ調節具９は多く商品化されているので当例にこだわらない。難燃性で簡単にワイヤの長さが調節出来ればそれでよい。
【図面の簡単な説明】
【００２７】
【図１】コの字状油はねガード用具設置例の斜視図
【図２】磁石付きＩの字状油はねガード用具設置例の斜視図
【図３】［図２］の油はねガード用具下部をこんろ天面まで下げた斜視図
【図４】［図３］の油はねガード用具下部をこんろの天面後端やや下まで下げた斜視図
【図５】油はねガード用具にフラップを設けた例の斜視図
【図６】油はねガード用具下部の一部を延伸させて台所に設置した例の正面図
【図７】片側に複数の挟持体を配置した油はねガード用具設置例の斜視図
【図８】一本のワイヤで左右の挟持体を吊る事とした油はねガード用具設置例の斜視図
【図９】［図８］のワイヤの通し方を変えた油はねガード用具設置例の斜視図
【図１０】磁石利用吊り具の斜視図
【図１１】Ｃ型挟持体の斜視図
【図１２】長さ調節具一端の斜視図
【図１３】［図１２］の長さ調節具にワイヤを通した側面図
【符号の説明】
【００２８】１    油はねガード用具
１１  フラップ
１２  延伸部
１３  縁巻
１４  下部磁石
２    レンジフード
３    吊り具
３１  ヨーク
３２  ヨーク片
３３  ヨーク通孔
３４  磁石
４    難燃性ワイヤ
５    挟持体
５１  挟持体片
５２  挟持体通孔
６    こんろ
７    ガス台
８    調理台
９    長さ調節具
９１  長さ調節具通孔
【図１】
2008253699.tif 000003
【図２】
2008253699.tif 000004
【図３】
2008253699.tif 000005
【図４】
2008253699.tif 000006
【図５】
2008253699.tif 000007
【図６】
2008253699.tif 000008
【図７】
2008253699.tif 000009
【図８】
2008253699.tif 000010
【図９】
2008253699.tif 000011
【図１０】
2008253699.tif 000012
【図１１】
2008253699.tif 000013
【図１２】
2008253699.tif 000014
【図１３】
2008253699.tif 000015